【手続補正書】
【提出日】平成25年6月13日(2013.6.13)
【手続補正１】
【補正対象書類名】特許請求の範囲
【補正対象項目名】全文
【補正方法】変更
【補正の内容】
【特許請求の範囲】
【請求項１】
運動方法であって、
ａ）全体重が支持され、かつ、頭部、頸部、及び脊椎が浮いて保持され、運動機器のクッションにうつ伏せに横たわるステップであって、前記運動機器が（ｉ）長方形のプラットフォームと、当該長方形のプラットフォームを地面の上方に保持するための支持体とを具え、前記プラットフォームが上面を有するベンチを具え、（ｉｉ）前記クッションが、前記プラットフォームの上面に固定された１つの、長方形の、空気が充填されたセルであり、前記クッションはドーム型の上面と、ある長さと、縦軸とを有し、運動時の不安定性を生み出すために、前記クッションの上面の頂部が、前記プラットフォームの縦軸に平行に前記クッションの長さに沿って延在し、
前記ベンチが、向かい合った側とフット部分とを有し、
さらに、前記機器の上で運動している間、脚を置くために十分に広い移動不可能なフットサポートを具え、前記ベンチの前記フット部分の各側に前記フットサポートがある、ステップと、
ｂ）前記フットサポートの上に脚を置くステップと、
ｃ）身体の筋肉を動かすステップと、を具えることを特徴とする運動方法。
【請求項２】
運動機器であって、
ａ）長方形の支持体と、当該長方形の支持体を地面の上方に保持するための基体と、
ｂ）前記支持体に固定された１つの、柔軟な、長方形の、空気が充填されたクッションであって、当該クッションが、ドーム型の上面と、底面と、ある長さと、縦軸とを有する本体部を具え、前記クッションが前記本体部の底面の縁の少なくとも一部に沿って周縁リムを具え、運動時、不安定性を生み出すために、前記本体部の上面の頂部が、前記支持体の縦軸に平行に前記本体部の長さに沿って延在する、クッションと、
ｃ）前記クッションの周縁リムを前記支持体に固定する固定器具であって、前記周縁リムは前記支持体と前記固定器具の間に挟まれる、固定器具と、
ｄ）前記支持体を前記基体に固定する手動解放可能な留め具であって、前記クッションを前記基体を用いずに利用するために、工具を用いることなく解放可能である、手動解放可能な留め具と、を具えることを特徴とする運動機器。
【請求項３】
運動機器であって、
ａ）長方形の支持体と、当該長方形の支持体を地面の上方に保持するための基体と、
ｂ）前記支持体に固定された１つの、柔軟な、長方形の、空気が充填されたクッションであって、当該クッションが、ドーム型の上面と、底面と、ある長さと、縦軸とを有する本体部を具え、前記クッションが前記本体部の底面の縁の少なくとも一部に沿って周縁リムを具え、運動時、不安定性を生み出すために、前記本体部の上面の頂部が、前記支持体の縦軸に平行に前記本体部の長さに沿って延在する、クッションと、
ｃ）前記クッションの周縁リムを前記支持体に固定する固定器具であって、前記周縁リムは前記支持体と前記固定器具の間に挟まれる、固定器具と、を具えることを特徴とする運動機器。
【請求項４】
請求項２または３に記載の機器において、前記基体が、脚部を具えることを特徴とする機器。
【請求項５】
請求項２または３に記載の機器において、前記基体のない機器が用いられうるように、前記基体が、前記支持体から取り外し可能であることを特徴とする機器。
【請求項６】
請求項２または３に記載の機器において、当該機器が対向する両側とフット部分を具え、前記固定器具が、前記機器の上で運動している間、脚を置くために十分に広い移動不可能なフットサポートを具え、前記ベンチの前記フット部分の各側に前記フットサポートがあることを特徴とする機器。
【請求項７】
請求項２または３に記載の機器において、前記基体が取り外し可能な脚部を具え、これにより前記クッションを床上で利用可能となることを特徴とする機器。
【請求項８】
運動機器であって、
ａ）上面を有する長方形のプラットフォームと、当該長方形のプラットフォームを地面の上方に保持するための支持体とを具えるベンチと、
ｂ）前記ベンチの上面に固定された１つの、柔軟な、長方形の、空気が充填されたクッションとを具え、当該クッションが、ドーム型の上面と、ある長さと、縦軸とを有し、運動時、不安定性を生み出すために、前記クッションの上面の頂部が、前記プラットフォームの縦軸に平行に前記クッションの長さに沿って延在し、前記ベンチが、対向する両側とフット部分とを有し、さらに、前記機器の上で運動している間、脚を置くために十分に広い移動不可能なフットサポートを具え、前記フット部分の前記ベンチの各側に前記フットサポートがあることを特徴とする機器。
【請求項９】
運動機器であって、
ａ）ほぼ長方形の支持体と、地面の上方に前記長方形の支持体を保持するための基体と、
ｂ）前記支持体に固定された少なくとも１つの、柔軟な、気体が充填されたクッションであって、当該クッションが、ドーム型の上面と、下面と、ある長さと、縦軸とを有する本体部を具え、前記クッションが、前記本体部の下面の縁の少なくとも一部に沿った周縁リムを含み、運動時、不安定性を生み出すために、前記本体の上面の頂部が、前記支持体の縦軸に平行に前記本体部の長さに沿って延在する、クッションと、
ｃ）前記支持体に前記クッションの周縁リムを固定するための固定器具とを具え、
前記基体が、前記クッションを前記基体のないクッションが用いられうるように、工具を用いることなく解放可能である、手動解放可能な留め具を具えることを特徴とする運動機器。
【請求項１０】
請求項２または３に記載の機器において、前記周縁リムが、前記クッションの本体部の下面の縁部全体に沿っていることを特徴とする機器。
【請求項１１】
請求項２または３に記載の機器において、前記固定器具が、前記クッション周りのフレームを具え、前記クッションの周縁リムが、前記フレームと前記支持体との間に保持されていることを特徴とする機器。
【請求項１２】
請求項２、３、８、または９に記載の機器において、前記支持体が、少なくとも１の上方に突出するリブを具え、前記クッションが、前記リブを受容するための凹部を含むことを特徴とする機器。
【請求項１３】
請求項２、３、８、または９に記載の機器において、前記支持体は前記クッションの下に空間が設けられており、圧力が前記クッションの本体部の上面にかけられると、前記クッションがこの空間内へ拡張することを特徴とする機器。
【請求項１４】
請求項２または３に記載の機器において、ヘッド部分及びフット部分を具え、前記支持体、前記固定器具、又は双方が、前記フット部分の機器の両側にフットサポートを有することを特徴とする機器。
【請求項１５】
請求項１４に記載の機器において、前記支持体が、前記ヘッド部分の前記支持体の両側にハンドグリップを具え、各ハンドグリップが前記固定器具の下側に凹部を有することを特徴とする機器。
【請求項１６】
請求項２または３に記載の機器において、ヘッド部分及びフット部分を具え、前記支持体が、前記ヘッド部分の前記支持体の両側にハンドグリップを具え、各ハンドグリップが前記固定器具の下側に凹部を有することを特徴とする機器。
【請求項１７】
運動方法であって、
ａ）請求項９の機器から、前記固定器具、前記支持体、及び前記クッションの組み合わせを、工具を用いずに手動で解放するステップと、
ｂ）ステップ（ａ）の後、前記クッションの上で運動するために、クッションの本体部の頂部を上方に向けて、床の上に前記組み合わせを配置するステップと、を具えることを特徴とする方法。
【請求項１８】
請求項２、３、８、または９に記載の機器において、クッションを１つのみ具えることを特徴とする機器。